(57)【要約】【課題】  この発明は、画質調整期間の番組を見逃さないことを目的としている。また、画質調整を容易にすることを目的とする。【解決手段】  画像調整開始を検出する手段（３５）と、画像調整開始が検出された場合に、表示している映像の記録を開始し、静止画を表示する手段（３５）と、画像調整終了を検出する手段（３５）と、画像調整終了が検出された場合に、記録手段に記録されている映像を記録開始から再生する手段（１４）と、を備えるように構成している。【選択図】    図５
2006333106.tif 000002
【特許請求の範囲】
【請求項１】
映像信号を受信して映像信号処理を施して出力する映像信号受信手段と、出力された映像信号を受信して映像を表示する映像表示部とを備える映像表示装置において、
出力された映像信号を記録するための記録手段と、
画像調整開始が指示されたことを検出する画像調整開始指示検出手段と、
前記画像調整開始指示が検出された場合に、前記映像表示部に表示している映像に対して前記記録手段への記録を開始し、また、この画像調整開始指示のタイミングに応じた静止画を前記映像表示部に表示して画像調整期間であることを通知する画像調整通知手段と、
前記静止画表示後に、画像調整終了が指示されたことを検出する画像調整終了指示検出手段と、
前記画像調整終了指示が検出された場合に、前記記録手段に記録されている映像を前記記録開始から再生し、前記映像表示部に表示する開始映像表示手段と、を備えることを特徴とする映像表示装置。
【請求項２】
動画を含む放送番組に係る信号を受信して信号処理を施して映像信号を出力する放送信号受信手段と、出力された映像信号を受信して映像を表示する映像表示部とを備える映像表示装置において、
出力された動画を含む映像信号を記録するための記録手段と、
画像調整開始が指示されたことを検出する画像調整開始指示検出手段と、
前記画像調整開始指示が検出された場合に、前記映像表示部に表示している動画を含む映像に対して前記記録手段への記録を開始し、また、この画像調整開始指示のタイミングに応じて前記動画に係る静止画を前記映像表示部に表示する画像調整表示手段と、
前記開始された画像調整の終了が指示されたことを検出する画像調整終了指示検出手段と、
前記画像調整終了指示が検出された場合に、前記記録手段に記録されている動画を含む映像を前記記録開始から再生し、前記映像表示部に表示する開始映像表示手段と、を備えることを特徴とする映像表示装置。
【請求項３】
動画を含む放送番組に係る信号を受信して信号処理を施して映像信号を出力する放送信号受信手段と、出力された映像信号を受信して映像を表示する映像表示部とを備える映像表示装置において、
出力された動画を含む映像信号を記録するための記録手段と、
画像調整の開始を検出する画像調整開始指示検出手段と、
前記画像調整の開始が検出された場合に、前記映像表示部に表示している動画映像の前記記録手段への記録を開始する動画記録開始手段と、
前記画像調整の開始が検出された場合に、前記動画映像に係る静止画を前記映像表示部に表示する静止画表示手段と、
前記画像調整の終了を検出する画像調整終了指示検出手段と、
前記画像調整の終了が検出された場合に、前記記録手段に記録されている動画映像を前記記録開始から再生し、前記映像表示部に表示する開始映像表示手段と、を備えることを特徴とする映像表示装置。
【請求項４】
映像信号を受信して映像表示部に表示する映像表示方法において、
画像調整開始が指示されたことを検出するステップと、
前記画像調整開始指示が検出された場合に、前記映像表示部に表示している映像について記録手段への記録を開始し、また、この画像調整開始指示のタイミングに応じた静止画を前記映像表示部に表示して画像調整期間であることを通知するステップと、
前記静止画表示後に、画像調整終了が指示されたことを検出するステップと、
前記画像調整終了指示が検出された場合に、前記記録手段に記録されている映像を前記記録開始から再生し、前記映像表示部に表示するステップを備えることを特徴とする映像表示方法。
【請求項５】
動画を含む放送番組に係る信号を受信して映像表示部に映像を表示する映像表示方法において、
画像調整開始が指示されたことを検出するステップと、
前記画像調整開始指示が検出された場合に、前記映像表示部に表示している動画を含む映像に対して記録手段への記録を開始し、また、この画像調整開始指示のタイミングに応じて前記動画に係る静止画を前記映像表示部に表示するステップと、
前記開始された画像調整の終了が指示されたことを検出するステップと、
前記画像調整終了指示が検出された場合に、前記記録手段に記録されている動画を含む映像を前記記録開始から再生し、前記映像表示部に表示するステップと、を備えることを特徴とする映像表示方法。
【請求項６】
動画を含む放送番組に係る信号を受信して映像表示部に映像を表示する映像表示方法において、
画像調整の開始を検出するステップと、
前記画像調整の開始が検出された場合に、前記映像表示部に表示している動画映像の記録手段への記録を開始するステップと、
前記画像調整の開始が検出された場合に、前記動画映像に係る静止画を前記映像表示部に表示するステップと、
前記画像調整の終了を検出するステップと、
前記画像調整の終了が検出された場合に、前記記録手段に記録されている動画映像を前記記録開始から再生し、前記映像表示部に表示するステップと、を備えることを特徴とする映像表示方法。
【発明の詳細な説明】
【技術分野】
【０００１】
この発明は、例えばデジタルテレビジョン放送受信装置等のような映像表示装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置においては、例えば、ユーザが設定したジャンルやキーワード等に基づいて放送番組を自動記録しておき、その記録された番組の中からユーザが必要な番組を選択して視聴することができる機能を有するものが出現している。
【０００４】
この場合、放送番組を記録再生するための記録再生装置としては、多数の番組を記録することができる大記録容量が求められるとともに、記録した番組の中から所望の番組を迅速に検索して再生することができるアクセス性能が求められることから、ＨＤＤ（hard disk drive）が採用されている。
【０００５】
ところで、現在のテレビジョン放送受信装置にあっては、ユーザの好み等に応じて映像調整が可能となっている。
【０００６】
ここで、特許文献１には、アナログ信号を受信した場合の画質調整用データとデジタル信号を受信した場合の画質調整用データをそれぞれ記憶し、これらの記憶データに基づいて画質調整を行なうテレビジョン放送受信装置の構成が開示されている。
【０００７】
しかしながら、テレビジョン放送（放送番組）の視聴中に画質調整を行うとこの画質調整期間に表示される番組を充分に視聴することができないという問題があった。
【特許文献１】特開２０００−１８４３０８号公報
【発明の開示】
【発明が解決しようとする課題】
【０００８】
そこで、この発明は上記事情を考慮してなされたもので、テレビジョン放送（放送番組）の視聴中に画質調整を行った場合は、この画質調整期間に表示されるべき番組をＨＤＤ等の記憶手段に記憶しておき、画質調整終了後に再生（いわゆる追いかけ再生）を行なえるようにして、画質調整開始時以降の番組を調整された画質で視聴可能にすることを目的としている。
【課題を解決するための手段】
【０００９】
この発明に係る映像表示装置は、出力された映像信号を記録するための記録手段と、画像調整開始が指示されたことを検出する画像調整開始指示検出手段と、前記画像調整開始指示が検出された場合に、前記映像表示部に表示している映像に対して前記記録手段への記録を開始し、また、この画像調整開始指示のタイミングに応じた静止画を前記映像表示部に表示して画像調整期間であることを通知する画像調整通知手段と、前記静止画表示後に、画像調整終了が指示されたことを検出する画像調整終了指示検出手段と、前記画像調整終了指示が検出された場合に、前記記録手段に記録されている映像を前記記録開始から再生し、前記映像表示部に表示する開始映像表示手段と、を備えるように構成している。
【００１０】
また、この発明に係る映像表示方法は、画像調整開始が指示されたことを検出するステップと、前記画像調整開始指示が検出された場合に、前記映像表示部に表示している映像について記録手段への記録を開始し、また、この画像調整開始指示のタイミングに応じた静止画を前記映像表示部に表示して画像調整期間であることを通知するステップと、前記静止画表示後に、画像調整終了が指示されたことを検出するステップと、前記画像調整終了指示が検出された場合に、前記記録手段に記録されている映像を前記記録開始から再生し、前記映像表示部に表示するステップを備えるように構成している。
【発明の効果】
【００１１】
上記のように構成することによって、テレビジョン放送（放送番組）の視聴中に画質調整を行っても、この画質調整期間（画質調整開始時以降）の番組を記憶しておき、画質調整終了後に画質調整開始時以降の番組が視聴可能となるという効果がある。また、静止画を見ながら画質を調整するので、調整が容易になるという効果がある。
【発明を実施するための最良の形態】
【００１２】
以下、この発明の実施の形態について図面を参照して詳細に説明する。
【００１３】
図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１４】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１５】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１６】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１７】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１８】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１９】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２０】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２１】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２２】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。
【００２３】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２４】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２５】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２６】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２７】
図３は、上記スタンド１３を背面側から見た状態を示している。すなわち、スタンド１３は、前述したようにほぼ薄型の箱状に形成されており、その背面板１３ｃから上面板１３ｂのほぼ中央部にかけての大部分が連続的に開口されることにより、着脱用口１３ｄが形成されている。この着脱用口１３ｄは、図示しない蓋体によって閉塞することが可能である。
【００２８】
このスタンド１３の底面板１３ａのほぼ中央部には、円筒形状の支持柱体４１が垂直に突設されている。この支持柱体４１は、その先端部が上面板１３ｂに形成された着脱用口１３ｄを介して、上面板１３ｂよりも上方に突出されている。そして、この支持柱体４１の先端部に、上記キャビネット１２と連結される支持部材１９が取着されている。
【００２９】
また、スタンド１３は、その内部の大部分が空洞になっており、上記ＨＤＤユニット２０を収容可能な収容部４２となっている。この場合、ＨＤＤユニット２０は、スタンド１３の外部より、スタンド１３の背面側の着脱用口１３ｄから底面板１３ａに沿うように挿入されることによって、スタンド１３内部に収容される。また、スタンド１３内部に収容されたＨＤＤユニット２０は、スタンド１３の背面側の着脱用口１３ｄから底面板１３ａに沿うようにして、スタンド１３の外部に取り出すことができる。
【００３０】
すなわち、ＨＤＤユニット２０は、スタンド１３内に収容されて映像及び音声信号の記録再生を行なえるとともに、スタンド１３に対して着脱が可能なように、つまり、交換が可能となるように構成されている。
【００３１】
図４はこの発明の実施の形態におけるテレビジョン放送受信装置の映像画質調整の開始、終了および追いかけ再生のタイミングを説明する図である。
【００３２】
ここでは、映像表示部１４に表示される映像について説明する。
【００３３】
図４（ａ）は、上述したように実際の放送番組を受信し、この番組を映像表示部１４に表示しているようすを示している。符号２００は受信された放送番組であり、テレビジョン放送受信装置１１に、リアルタイムで表示される。
【００３４】
図４（ｂ）は、この発明に係る動作であり、画面（映像表示部１４）上に表示される映像を示している。ここでは放送番組として動画が表示されている例を示している。放送番組は多くの場合は動画であるが、静止画が放送される場合もある。この静止画もここでは動画を含む番組として説明している。
【００３５】
符号２０１は上記図４（ａ）と同様に、放送番組として動画が表示されている。
【００３６】
符号２０２は後述するように画像調整が開始されると、画像の調整期間であることを示すために、これに対応して静止画を表示する例を示している（調整期間：静止画表示）。ここで表示される静止画は、制御部３５で画質調整の開始指示を検出し、これに対応して映像表示部１４に対して出力される。この静止画は上記表示されている放送番組（動画）から作成することが望ましい。ユーザは、この放送番組（動画）から作成された静止画を見ながら画質を調整することで、調整が容易になる。
【００３７】
また、制御部３５で画質調整の開始指示を検出すると、この開始指示に対応して、ＨＤＤユニット（記録手段）２０に、上記表示されている放送番組（動画）の記録を開始する（記録開始）。
【００３８】
符号２０３は後述するように制御部３５が画像調整の終了指示を受けると、上記ＨＤＤユニット（記録手段）２０に記録されている放送番組（動画）を、上記記録開始から再生表示する（いわゆる追いかけ再生）。これにより、テレビジョン放送（放送番組）の視聴中に画質調整を行っても、この画質調整期間（画質調整開始時以降）の番組を記憶しておき、画質調整終了後に画質調整開始時以降の番組が視聴可能とすることができる。
【００３９】
図５は、この発明の実施の形態におけるテレビジョン放送受信装置の映像画質調整および追いかけ再生に係る動作を説明するフローチャートである。
【００４０】
符号１０１はここでの開始ステップである。続いて符合１０２を付したステップへ進む。
【００４１】
符号１０２は受信された放送番組（動画映像）を表示部（映像表示部１４）へ表示するステップである。続いて符合１０３を付したステップへ進む。
【００４２】
符号１０３は画像調整が開始されたこと（ユーザによってリモートコントローラ１７が操作され、受光部１８でリモコン信号を受信すること等によって画像調整開始が指示されたこと）を検出するステップである。画像調整ＯＮが指示されたか？としてもよい。画像調整開始が指示されたと検出された場合は符合１０４を付したステップへ進む（Ｙｅｓ）。画像調整開始が指示されたと検出されない場合は符合１０２を付したステップへ進み、ここでの処理が繰り返される（Ｎｏ）。
【００４３】
符号１０４は表示部に表示されている動画映像をＨＤＤ（表示手段）に記録開始、および、画像調整指示のタイミングに応じた静止画を表示部に表示するステップである。すなわち、画像調整開始指示が検出された場合に、映像表示部１４に表示している映像に対して記録手段２０への記録を開始し、また、この画像調整開始指示のタイミングに応じた静止画を映像表示部１４に表示して画像調整期間であることを通知する。続いて符合１０５を付したステップへ進む。
【００４４】
符号１０５は画像調整（調整期間）を示している。この静止画が表示されている間に、例えば、図示しない画質調整表示が表示され、ユーザが静止画を見ながら画質調整を行なう。ユーザは静止画を見ながら画質を調整するので、調整が容易である。続いて符合１０６を付したステップへ進む。
【００４５】
符号１０６は画像調整が終了したこと（ユーザによってリモートコントローラ１７が操作され、受光部１８でリモコン信号を受信すること等によって画像調整終了が指示されたこと）を検出するステップである。静止画表示後に、画像調整終了を検出することが望ましい。画像調整ＯＦＦが指示されたか？としてもよい。画像調整終了が指示されたと検出された場合は符合１０７を付したステップへ進む（Ｙｅｓ）。画像調整終了が指示されたと検出されない場合は符合１０５を付したステップへ進み、ここでの処理が繰り返される（Ｎｏ）。
【００４６】
符号１０７はＨＤＤ（記録手段２０）に記録された動画映像を、記録開始から再生し、映像表示部１４へ表示するステップである。いわゆる追いかけ再生に相当する。すなわち、画像調整終了指示が検出された場合に、記録手段２０に記録されている映像を記録開始から再生し、映像表示部１４に表示する。続いて符合１０８を付したステップへ進む。
【００４７】
符号１０８は終了ステップであり、ここでの処理は終了する。
【００４８】
上述したように、この発明は、出力された映像信号を記録するための記録手段（２０）と、画像調整開始が指示されたことを検出する画像調整開始指示検出手段（３５）と、前記画像調整開始指示が検出された場合に、前記映像表示部に表示している映像に対して前記記録手段への記録を開始し、また、この画像調整開始指示のタイミングに応じた静止画を前記映像表示部に表示して画像調整期間であることを通知する画像調整通知手段（３５）と、前記静止画表示後に、画像調整終了が指示されたことを検出する画像調整終了指示検出手段（３５）と、前記画像調整終了指示が検出された場合に、前記記録手段に記録されている映像を前記記録開始から再生し、前記映像表示部に表示する開始映像表示手段（１４）と、を備えるように構成している。
【００４９】
このため、テレビジョン放送（放送番組）の視聴中に画質調整を行っても、この画質調整期間（画質調整開始時以降）の番組を記憶しておき、画質調整終了後に画質調整開始時以降の番組が視聴可能となるという効果がある。また、静止画を見ながら画質を調整するので、調整が容易になるという効果がある。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の実施の形態を示すもので、テレビジョン放送受信装置を説明するために示す外観図。
【図２】同実施の形態におけるテレビジョン放送受信装置の信号処理系を説明するために示すブロック構成図。
【図３】同実施の形態におけるテレビジョン放送受信装置のスタンドを背面側から見た状態を説明するために示す斜視図。
【図４】同実施の形態におけるテレビジョン放送受信装置の映像画質調整の開始、終了および追いかけ再生のタイミングを説明する図。
【図５】同実施の形態におけるテレビジョン放送受信装置の映像画質調整および追いかけ再生に係る動作を説明するフローチャート。
【符号の説明】
【００５２】
１１…テレビジョン放送受信装置、１２…キャビネット、１３…スタンド、１４…映像表示器（映像表示部、開始映像表示手段）、１５…スピーカ、１６…操作部、１７…リモートコントローラ、１８…受光部、１９…支持部材、２０…ＨＤＤユニット（記録手段）、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部（画質調整開始指示検出手段、画質調整終了指示検出手段）、３６…メモリ部、３７…ライン、３８…接続部、３９…ライン、４０…ｉ．Link接続部、４１…支持柱体、４２…収容部
【図１】
2006333106.tif 000003
【図２】
2006333106.tif 000004
【図３】
2006333106.tif 000005
【図４】
2006333106.tif 000006
【図５】
2006333106.tif 000007